(57)【要約】      （修正有）【課題】構造が簡素で軽薄化でき、作製コストを有効に減少できる導電ガラス基板型電子ペーパーディスプレイ装置を提供する。【解決手段】上面が成形されている基板２０と、基板２０の上面に成形されるＩＴＯ層であり、ＩＴＯ層と基板２０から導電ガラスが形成され、模様エッチング区３１と、電気的接続区３２と、が成形されているエッチング導電層３０と、エッチング導電層３０の模様エッチング区３１に成形される電子ペーパー本体と、電子ペーパー本体と模様エッチング区３１の間に設けられる絶縁層５０と、エッチング導電層３０の電気的接続区に電気的に接続される駆動回路モジュール６０と、を含む。【選択図】図２
0003179401.tif 000002
【実用新案登録請求の範囲】
【請求項１】
上面が成形されている基板と、
前記基板の前記上面に成形されるＩＴＯ層であり、前記ＩＴＯ層と前記基板から導電ガラスが形成され、模様エッチング区と、電気的接続区と、が成形されているエッチング導電層と、
前記エッチング導電層の前記模様エッチング区に成形される電子ペーパー本体と、
前記電子ペーパー本体と前記模様エッチング区の間に設けられる絶縁層と、
前記エッチング導電層の前記電気的接続区に電気的に接続される駆動回路モジュールと、
を含むことを特徴とする導電ガラス基板型電子ペーパーディスプレイ装置。
【請求項２】
前記電子ペーパー本体は、電気泳動性物質層と、
前記絶縁層の上で設けられて前記電気泳動性物質層を前記電子ペーパー本体の内部にパッケージするパッケージ層と、
を有し、
前記電気泳動性物質層の上では、透明電極層と、
基板と、
が設けられることを特徴とする、請求項１に記載の導電ガラス基板型電子ペーパーディスプレイ装置。
【請求項３】
前記絶縁層は、前記エッチング導電層の前記模様エッチング区の表面の全面又は一部をカバーすることを特徴とする、請求項１に記載の導電ガラス基板型電子ペーパーディスプレイ装置。
【請求項４】
前記エッチング導電層の前記模様エッチング区には、模様電極が予めにエッチングされ、前記絶縁層は、前記模様電極の全面又は一部を遮蔽することを特徴とする、請求項１に記載の導電ガラス基板型電子ペーパーディスプレイ装置。
【請求項５】
上面が成形されている基板と、
前記基板の前記上面に成形され、模様エッチング区と、電気的接続区と、を有するエッチング導電層と、
前記エッチング導電層の上で成形され、電気泳動性物質層と、前記エッチング導電層の前記模様エッチング区の上で設けられて前記電気泳動性物質層を前記電子ペーパー本体の内部にパッケージするパッケージ層と、を有し、前記電気泳動性物質層の上では、透明電極層と、基板と、が設けられる電子ペーパー本体と、
前記エッチング導電層の前記電気的接続区に電気的に接続される駆動回路モジュールと、
を含むことを特徴とする導電ガラス基板型電子ペーパーディスプレイ装置。
【請求項６】
前記基板は、ガラスによって構成されるシートであることを特徴とする、請求項１又は５に記載の導電ガラス基板型電子ペーパーディスプレイ装置。
【請求項７】
前記駆動回路モジュールは、半導体回路ユニットであり、二つの端子を有し、前記エッチング導電層の前記電気的接続区に電気的に接続されることを特徴とする、請求項１又は５に記載の導電ガラス基板型電子ペーパーディスプレイ装置。
【請求項８】
前記エッチング導電層の前記電気的接続区に端子ユニットが設けられ、前記駆動回路モジュールは軟性回路基板を有し、前記軟性回路基板は、一端が前記端子ユニットと電気的に接続し、他端が印刷回路板と電気的に接続し、前記印刷回路板に半導体回路ユニットが設けられることを特徴とする、請求項１又は５に記載の導電ガラス基板型電子ペーパーディスプレイ装置。
【考案の詳細な説明】
【技術分野】
【０００１】
本考案は、ディスプレイ装置に関し、特に、導電ガラス基板型電子ペーパーディスプレイ装置に関するものである。
【背景技術】
【０００２】
電気泳動式ディスプレイ装置（Ｅｌｅｃｔｒｏｐｈｏｒｅｓｉｓ  Ｄｉｓｐｌａｙ，ＥＰＤ）は、近年に開発された斬新なディスプレイ装置であり、現在、電子ペーパー、電子ブック、電子看板及び電子ラベルなどに適用される。電気泳動式ディスプレイ装置は、反射式ディスプレイ装置であり、光線を反射することによって映像を表示するため、よく見られる薄膜トランジスター液晶ディスプレイ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ，ＴＦＴ  ＬＣＤ）に比べて、バックライトがない状況で映像を表示できる。
【０００３】
従来の電子ペーパー装置は、図１に示すように、電気泳動原理を利用し、電界によって帯電染色粒子を駆動して顔色の対比を発生するディスプレイであり、駆動基板１１と、電子ペーパー本体１２と、を含む。電子ペーパー本体１２は駆動基板１１の上で設けられる。駆動基板１１は、模様化された画素電極層１１１と、下基板１１２と、を有する。電子ペーパー本体１２は、上基板１２１と、透明電極層１２２と、電気泳動性物質１２３と、粘着層１２４と、を含む。電気泳動性物質１２３は、上基板１２１と粘着層１２４の間に密封され、複数の帯電染色粒子Ｃ１と、誘電体ソリューションＬ１と、を含む。一方、透明電極層１２２は、上基板１２１の一側に形成され、画素電極層１１１に対向するように設けられる。
【０００４】
画素電極層１１１と透明電極層１２２の間に電圧を加えることにより、帯電染色粒子Ｃ１は電荷の極性が帯電染色粒子Ｃ１と反対する画素電極層１１１、又は透明電極層１２２へ移動し、且つ電極層１１１、１２２に選択的に電圧を加えることにより、誘電体ソリューションＬ１又は帯電染色粒子Ｃ１の顔色を表示するかが決まり、そして逆方向の電圧を加えることにより、顔色の表示を変化できる。
【０００５】
特に、電子ペーパー装置１０の画素電極層１１１は、フルカラーな模様を表示し、フルカラーな模様を表示する目的を達成するために、電子ペーパー本体１２の上でカラーフィルターが成形され、そしてカラーフィルターと駆動基板１１を位置合せることにより、これらのカラーフィルターの模様は、駆動基板１１の上での画素電極層１１１に位置合せられる。このように、フルカラーな模様を表示できる。
【０００６】
しかしながら、電子ペーパー装置１０が単色の文字や模様などを表示するディスプレイに適用される場合に、電気泳動性物質の複雑な作製プロセス、又はこれらのカラーフィルターと駆動基板１１を精確に位置合せることが必要であるため、電子ペーパー装置１０の作製コストが無駄に増加する。
【考案の概要】
【考案が解決しようとする課題】
【０００７】
本考案の主な目的は、構造が簡素で軽薄化でき、作製コストを有効に減少できる導電ガラス基板型電子ペーパーディスプレイ装置（Ｇ-Ｐａｐｅｒ  Ｄｉｓｐｌａｙ）を提供することにある。
【０００８】
本考案の次の目的は、絶縁層を設けることにより、導電ガラス基板と電子ペーパー本体の間には、絶縁及びカバーの構造が形成され、エッチング導電層の回路レイアウトを確実にカバーでき、又はエッチング導電層での模様設計に合せて、絶縁層によりエッチング導電層の模様エッチング区の表面の全面又は一部をカバーでき、このように、模様を多様化する目的を達成できる導電ガラス基板型電子ペーパーディスプレイ装置を提供することにある。
【課題を解決するための手段】
【０００９】
本考案の導電ガラス基板型電子ペーパーディスプレイ装置によると、上面が成形されている基板と、基板の上面に成形されるＩＴＯ層であり、ＩＴＯ層と基板から導電ガラスが形成され、模様エッチング区と、電気的接続区と、が成形されているエッチング導電層と、エッチング導電層の模様エッチング区に成形される電子ペーパー本体と、電子ペーパー本体と模様エッチング区の間に設けられる絶縁層と、エッチング導電層の電気的接続区に電気的に接続される駆動回路モジュールと、を含むことを特徴とする。
【００１０】
本考案の導電ガラス基板型電子ペーパーディスプレイ装置によると、電子ペーパー本体は、電気泳動性物質層と、絶縁層の上に設けられて電気泳動性物質層を電子ペーパー本体の内部にパッケージするパッケージ層と、を有し、電気泳動性物質層の上では、透明電極層と、基板と、が設けられることを特徴とする。
【００１１】
本考案の導電ガラス基板型電子ペーパーディスプレイ装置によると、絶縁層は、エッチング導電層の模様エッチング区の表面の全面又は一部をカバーすることを特徴とする。
【００１２】
本考案の導電ガラス基板型電子ペーパーディスプレイ装置によると、エッチング導電層の模様エッチング区には、模様電極が予めにエッチングされ、絶縁層は、模様電極の全面又は一部を遮蔽することを特徴とする。
【００１３】
本考案の導電ガラス基板型電子ペーパーディスプレイ装置によると、上面が成形されている基板と、基板の上面に成形され、模様エッチング区と、電気的接続区と、を有するエッチング導電層と、エッチング導電層の上で成形され、電気泳動性物質層と、エッチング導電層の模様エッチング区の上で設けられて電気泳動性物質層を電子ペーパー本体の内部にパッケージするパッケージ層と、を有し、電気泳動性物質層の上では、透明電極層と、基板と、が設けられる電子ペーパー本体と、エッチング導電層の電気的接続区に電気的に接続される駆動回路モジュールと、を含むことを特徴とする。
【００１４】
本考案の導電ガラス基板型電子ペーパーディスプレイ装置によると、基板は、ガラスによって構成されるシートであることを特徴とする。
【００１５】
本考案の導電ガラス基板型電子ペーパーディスプレイ装置によると、駆動回路モジュールは、半導体回路ユニットであり、二つの端子を有し、エッチング導電層の電気的接続区に電気的に接続されることを特徴とする。
【００１６】
本考案の導電ガラス基板型電子ペーパーディスプレイ装置によると、エッチング導電層の電気的接続区に端子ユニットが設けられ、駆動回路モジュールは軟性回路基板を有し、軟性回路基板は、一端が端子ユニットと電気的に接続し、他端が印刷回路板と電気的に接続し、印刷回路板に半導体回路ユニットが設けられることを特徴とする。
【考案の効果】
【００１７】
本考案の導電ガラス基板型電子ペーパーディスプレイ装置によれば、次のような効果がある。
（１）構造が簡素で軽薄化でき、作製コストを有効に減少できる。
【００１８】
（２）絶縁層を設けることにより、導電ガラス基板と電子ペーパー本体の間には、絶縁及びカバーの構造が形成され、エッチング導電層の回路レイアウトを確実にカバーでき、又はエッチング導電層での模様設計に合せて、絶縁層によりエッチング導電層の模様エッチング区の表面の全面又は一部をカバーできる。このように、模様を多様化する目的を達成できる。
【図面の簡単な説明】
【００１９】
【図１】従来の電気泳動式電子ペーパー装置の構造を示す模式図である。
【図２】本考案の一実施例の構造を示す斜視図である。
【図３】本考案の一実施例の構造を示す側面図である。
【図４】本考案の一実施例に印刷回路板が設けられた構造を示す側面図である。
【図５】本考案の別の実施例を示す側面図である。
【考案を実施するための形態】
【００２０】
以下、本考案の実施の形態を図面に基づいて説明する。
図２、図３及び図５を参照する。
本考案の導電ガラス基板型電子ペーパーディスプレイ装置（Ｇ-Ｐａｐｅｒ  Ｄｉｓｐｌａｙ）は、基板２０と、エッチング導電層３０と、電子ペーパー本体４０と、絶縁層５０と、駆動回路モジュール６０と、を含む。
【００２１】
図２及び図３を参照する。
図２は本考案の一実施例の構造を示す斜視図であり、図３は本考案の一実施例の構造を示す側面図である。本考案の導電ガラス基板型電子ペーパーディスプレイ装置は、基板２０に上面２１が成形されており、上面２１の上でエッチング導電層３０が設けられる。エッチング導電層３０は、ＩＴＯ層であり、模様エッチング区３１と、電気的接続区３２と、が成形されている。模様エッチング区３１には、模様電極３１１が予めにエッチングされる。
電子ペーパー本体４０は、エッチング導電層３０の模様エッチング区３１の上で成形される。電子ペーパー本体４０と模様エッチング区３１の間に絶縁層５０が設けられる。絶縁層５０は模様エッチング区３１の全面又は一部を遮蔽することにより、模様電極３１１及びそれ以外の回路レイアウトが外部に露呈することを回避でき、このように、模様エッチング区３１の回路を保護できる。エッチング導電層３０の電気的接続区３２に駆動回路モジュール６０が電気的に接続される。
【００２２】
図２及び図３に示すように、基板はガラスによって構成されるシートである。
エッチング導電層３０は、エッチング技術により模様エッチング区３１に模様電極３１１が予めに成形される。ユーザの必要によって、模様電極３１１を字形、商標や模様などに成形できる。電子ペーパー本体４０は、電気泳動性物質層４１と、絶縁層５０の上で設けられて電気泳動性物質層４１を電子ペーパー本体４０の内部にパッケージするパッケージ層４２と、を有する。
電気泳動性物質層４１の上では、透明電極層４３と、基板４４と、が設けられる。駆動回路モジュール６０は、二つの端子６１１を有する半導体回路ユニット６１であり、エッチング導電層３０の電気的接続区３２に電気的に接続される。
【００２３】
特に、エッチング導電層３０の模様エッチング区３１の表面に設けられる絶縁層５０は、模様エッチング区３１の上でのエッチングされた模様電極３１１の形態によって、模様エッチング区３１の全面又は一部をカバーできる。
絶縁層５０が模様エッチング区３１の一部をカバーする場合に、絶縁層５０は、模様電極３１１に合せて透かされ、又は異なる形状に透かされ、これにより、異なる駆動パタンを形成できる。絶縁層５０が模様エッチング区３１の全面をカバーして模様電極３１１に電流を流す場合には、電子ペーパー本体４０とエッチング導電層３０の間に電界が発生して、前記電界により電子ペーパー本体４０内の電気泳動性物質層４１が駆動される。
【００２４】
しかし、電子ペーパー本体４０の電気泳動性物質とエッチング導電層３０の模様電極３１１の間が絶縁層５０によって完全に離隔され、電気泳動性物質が電界だけに駆動され、応答速度がより遅い問題があるため、模様電極３１１の形態によって絶縁層５０を透かしてもよい。
このように、模様電極３１１が電気泳動性物質層４１と接触して、応答速度が速くなる。一方、絶縁層５０は、模様電極３１１に対応する箇所を一部に透かして一部に遮蔽してもよい。このように、電気泳動性物質層４１内の電気泳動性物質は、強度が異なる電界に同時に駆動されて、模様を多様化にすることができる。
【００２５】
駆動回路モジュール６０を起動した後、半導体回路ユニット６１は、エッチング導電層３０を介してエッチング導電層３０の模様エッチング区３１と電子ペーパー本体４０の透明電極層４３の間にある電界を制御して、電子ペーパー本体４０の内部の電気泳動性物質層４１内の導電粒子が移動される。
これにより、模様エッチング区３１に予めに設けられた字形や模様などが電子ペーパー本体４０の基板４４に表示される。このように、構造が簡素で軽薄化でき、作製コストを有効に減少できる導電ガラス基板型電子ペーパーディスプレイ装置を提供できる。
【００２６】
また、本考案は必要によって、エッチング導電層３０の電気的接続区３２に端子ユニット３３を設けてもよい。端子ユニット３３により、異なる形態の駆動回路モジュール６０と接続することができる。駆動回路モジュール６０は、図４に示すように、軟性回路基板６２を有する。軟性回路基板６２は、一端が端子ユニット３３と電気的に接続し、他端が印刷回路板６３と電気的に接続し、且つ印刷回路板６３に半導体回路ユニット６１が設けられる。
【００２７】
特に、本考案は、図５に示すように、エッチング導電層３０に電子ペーパー本体４０を直接に設けてもよい。これにより、電子ペーパー本体４０のパッケージ層４２が模様エッチング区３１に貼り付けられるため、作製プロセスを減少でき、生産コストを減少できる。
【符号の説明】
【００２８】
１０：電子ペーパー装置
１１：駆動基板
１２：電子ペーパー本体
２０：基板
２１：上面
３０：エッチング導電層
３１：模様エッチング区
３２：電気的接続区
３３：端子ユニット
４０：電子ペーパー本体
４１：電気泳動性物質層
４２：パッケージ層
４３：透明電極層
４４：基板
５０：絶縁層
６０：駆動回路モジュール
６１：半導体回路ユニット
６２：軟性回路基板
６３：印刷回路板
１１１：画素電極層
１１２：下基板
１２１：上基板
１２２：透明電極層
１２３：電気泳動性物質
１２４：粘着層
３１１：模様電極
６１１：端子
Ｃ１：帯電染色粒子
Ｌ１：誘電体ソリューション
【図１】
0003179401.tif 000003
【図２】
0003179401.tif 000004
【図３】
0003179401.tif 000005
【図４】
0003179401.tif 000006
【図５】
0003179401.tif 000007